(57)【要約】【課題】一業者が管理する携帯電話網や公衆無線ＬＡＮ網に限定されることなく、同一メディア間や異なるメディア間であっても、ＩＰ電話による通話を継続しながらメディアの切替を行う。【解決手段】中継装置に、ＶＰＮ接続を介して受信したＳＩＰリクエストを上記ＳＩＰサーバへ中継してＳＩＰセッションを構築するＳＩＰ中継機能と、ＶＰＮ接続の通信品質が悪化した際に又は通信が断絶した際に、前記ＳＩＰサーバに対するＳＩＰセッションを保留する切替時保留機能と、新たなＶＰＮ接続で用いられた識別情報が、先に保留中の前記ＳＩＰセッションのＶＰＮ接続で用いられた識別情報と同じである場合、当該ＶＰＮ接続に当該ＳＩＰセッションを対応付けて、携帯端末へ当該ＳＩＰセッションのための端末情報を払い出すＶＰＮ連携機能とを持たせる。【選択図】図２
2014049783.tif 000002
【特許請求の範囲】
【請求項１】
外部ネットワークを介してＶＰＮ接続を受け付け可能であり、かつ閉域網に設けられたＳＩＰサーバに接続可能な中継装置であって、
上記ＶＰＮ接続を介して、受信したＳＩＰリクエストを上記ＳＩＰサーバへ中継してＳＩＰセッションを構築可能、上記ＳＩＰサーバから中継されてきたＳＩＰリクエストを受け付けてＳＩＰセッションを構築可能、又はその両方が可能であるＳＩＰ中継機能と、
上記ＶＰＮ接続の通信品質が悪化した際に又は通信が断絶した際に、前記ＳＩＰサーバに対するＳＩＰセッションを保留する切替時保留機能と、
新たなＶＰＮ接続で用いられた識別情報が、先に保留中の前記ＳＩＰセッションのＶＰＮ接続で用いられた識別情報と同じである場合、当該ＶＰＮ接続に当該ＳＩＰセッションを対応付ける装置側ＶＰＮ連携機能とを有する、
ＳＩＰセッションを継続可能な中継装置。
【請求項２】
上記ＳＩＰセッションの保留時間を監視する切替時間監視機能と、
その保留時間が所定の時間を超えた場合、そのＳＩＰセッションを切断する途絶時解除機能とを有する、
請求項１に記載の中継装置。
【請求項３】
一種類以上の無線通信網への無線接続を可能とする無線通信機能、
上記無線接続を介して、識別情報を送信して上記中継装置との間でＶＰＮ接続を構築するＶＰＮイニシエータ機能、
上記中継装置との上記ＶＰＮ接続を通じてＳＩＰリクエストを送信しＳＩＰサーバとのＳＩＰセッションを構築するＳＩＰクライアント機能、
上記ＶＰＮ接続に用いる上記識別情報を保持しておくVPN認証情報データベース、
上記ＳＩＰリクエストによる通話に用いていた上記ＶＰＮ接続の切断後に、上記VPNイニシエータ機能に同一の又は異なる無線通信網への上記無線通信機能を用いて、当該ＶＰＮ接続で用いた上記識別情報を送信して上記中継装置との間で新たなＶＰＮ接続を構築させるＶＰＮ再接続機能、
を有する携帯端末と、請求項１又は２に記載の中継装置と、からなるＩＰ電話システム。
【請求項４】
上記携帯端末の上記無線通信機能が、複数種類の無線通信網に接続可能なものであり、
上記携帯端末は、経由する無線通信網の優先度を設定可能であり、
端末側VPN連携機能が、当該優先度の高い無線通信網から順番に接続して上記ＶＰＮイニシエータ機能によるＶＰＮ接続の構築を試みる、
請求項３に記載のＩＰ電話システム。
【請求項５】
上記携帯端末、上記中継装置、又はその両方は、双方間でのＶＰＮ接続の通信品質の低下を検出する通話品質モニタ機能を有し、
上記携帯端末は、上記通信品質の低下が検出された際に、その時点で接続している無線通信網以外の別の無線通信網の電波を検知する電波モニタ機能と、
上記別の無線通信網の電波を検知した際に、上記中継装置に対して、ＳＩＰセッションの保留を要求する切替通知機能と、
上記ＶＰＮ接続を切断させるＶＰＮ切断指示機能と
を有し、
上記中継装置は、上記切替通知機能からの要求を受けたら上記切替時保留機能を実行する請求項３又は４に記載のＩＰ電話システム。
【発明の詳細な説明】
【技術分野】
【０００１】
この発明は、ＳＩＰサーバへ接続する中継装置によるＩＰ電話に関する。
【背景技術】
【０００２】
スマートフォンの普及に伴い、宅内無線ＬＡＮ（Ｌｏｃａｌ  Ａｒｅａ  Ｎｅｔｗｏｒｋ）や公衆無線ＬＡＮを介したインターネット環境が都市部を中心に充実しつつある。その中で、通信費を抑制したりするために、携帯電話網をそのまま利用した通話ではなく、携帯電話網に定額のデータ通信でインターネット接続したり、無線ＬＡＮ経由でインターネット接続したりすることで用いるＩＰ電話ソフトの利用が拡大しつつある。携帯電話網ではデータ通信向けの定額サービスが普及しており、ＩＰ電話ソフトを用いる通話は、その定額サービスの範囲で通話することができる。
【０００３】
ただし、無線通信環境は必ずしも安定しているわけではなく、特に移動中は通信環境の変化に伴って通話が切断される可能性が常につきまとうことになる。接続の際に中継されるアンテナが変更された場合、ＩＰアドレスが変更されるなど、接続環境が変わるために、相手方のＳＩＰ（Ｓｅｓｓｉｏｎ  Ｉｎｉｔｉａｔｉｏｎ  Ｐｒｏｔｏｃｏｌ）サーバ又はクライアントが、こちらの端末を追跡することができずに通話が切断される可能性がある。携帯電話網を介したデータ通信から、無線ＬＡＮへの接続に変更される場合は通信方式まで変わるため、そのままでは通話を継続させることができなかった。
【０００４】
これに対して、特許文献１のように、携帯電話の無線基地局と公衆無線ＬＡＮのアクセスポイントとを統合的に制御する装置を用意し、制御装置側でプロトコル変換を行うことで、携帯電話網と無線ＬＡＮとの通信の切替を可能とする方法が提案されている。
【０００５】
また、特許文献２には携帯電話網の中でも、ＬＴＥに代表されるパケット交換方式ネットワークと３Ｇに代表される回線交換方式ネットワークとが併存している環境において、音声通信が可能かどうかの情報を予め取得して切り替える方法が提案されている。
【先行技術文献】
【特許文献】
【０００６】
【特許文献１】特開２００９−２８４３０１号公報
【特許文献２】特開２０１０−２５１８６４号公報
【発明の概要】
【発明が解決しようとする課題】
【０００７】
しかしながら、特許文献１に記載の方法は、基地局制御装置側での制御を行うため、通信網側のサポートが無ければ利用できない。具体的には、制御装置の管轄外である公衆無線ＬＡＮと相互切替しようとしてもできないし、制御装置の管轄外である携帯電話網と相互切替しようとしてもできない。従って、利用できる携帯事業者が限定される上に、多数の事業者が乱立している現在の公衆無線ＬＡＮ環境では、適用できる対象が限られてしまう。
【０００８】
また、特許文献２に記載の方法は、携帯電話網での接続の範疇で方式を切り替えるもので同一メディアに限られた技術であり、異なるメディアである無線ＬＡＮとの相互切替を行う際に適用することはできなかった。また、通信を切り替える際に一時的に断絶するため、音声通信の継続は保証されなかった。
【０００９】
そこでこの発明は、一業者が管理する携帯電話網や公衆無線ＬＡＮ網に限定されることなく、同一メディア間や異なるメディア間であっても、ＩＰ電話による通話を継続しながらメディアの切替を行えるようにすることを目的とする。
【課題を解決するための手段】
【００１０】
この発明は、外部ネットワークを介してＶＰＮ接続を受け付け可能であり、かつ閉域網に設けられたＳＩＰサーバに接続可能な中継装置に、
上記ＶＰＮ接続を介して受信したＳＩＰリクエストを上記ＳＩＰサーバへ中継してＳＩＰセッションを構築可能、上記ＳＩＰサーバから中継されてきたＳＩＰリクエストを受け付けてＳＩＰセッションを構築可能、又はその両方が可能であるＳＩＰ中継機能と、
上記ＶＰＮ接続の通信品質が悪化した際に又は通信が断絶した際に、前記ＳＩＰサーバに対するＳＩＰセッションを保留する切替時保留機能と、
新たなＶＰＮ接続で用いられた識別情報が、先に保留中の前記ＳＩＰセッションのＶＰＮ接続で用いられた識別情報と同じである場合、当該ＶＰＮ接続に当該ＳＩＰセッションを対応付ける装置側ＶＰＮ連携機能とを持たせることで、上記の課題を解決したのである。
【００１１】
すなわち、例えば自宅や職場などの宅内に設置されたＨＧＷ（ＨｏｍｅＧａｔｅＷａｙ）などである中継装置を、その中継装置が抱えるＬＡＮの外であるインターネットやＩＳＰ網などの外部ネットワークからアクセス可能にしておく。また、この中継装置は閉域網へ接続可能であり、閉域網内に設けられたＳＩＰサーバに対して接続可能である。かつこの中継装置は、ＩＰｓｅｃなどの一般的な方法により携帯端末からの要求に応じてＶＰＮを構築できる。すなわち、VPN接続により中継装置を介してSIPサーバへのアクセスと、SIPサーバからのアクセスとを提供できる。そのVPN接続の際に、例えばＩＰｓｅｃならば暗号化に用いる共通鍵などの識別情報を受信することになるが、その識別情報を記録しておくVPN認証情報一覧データベースを有する。
【００１２】
一方、携帯端末から中継装置へのアクセスルートは、途中にＩＳＰ網やインターネットなどを介しても介さなくてもよいが、最初の接続部分は、無線通信機能によって接続されるものである。有線接続されている場合は基本的に途切れる心配がなく、この発明の意味が無い。この無線通信機能で接続される無線網は携帯電話網でも公衆無線ＬＡＮ網でも、あるいは当該中継装置自身が抱えるＬＡＮ以外のなんらかの無線ＬＡＮ環境であってもよい。いずれにせよ、中継装置になんらかのルートでアクセスできるネットワークであれば、携帯端末が直接アクセスするネットワークである携帯電話網や公衆無線ＬＡＮの事業者は問わない。
【００１３】
また、携帯端末は上記の無線通信機能の他に、その無線接続を介して中継装置との間でＶＰＮ接続を構築するＶＰＮイニシエータ機能、ＶＰＮ接続を通じてＳＩＰリクエストを送信し上記ＳＩＰサーバとのＳＩＰセッションを構築するＳＩＰクライアント機能を基本機能として有するだけでなく、ＶＰＮ接続に用いる識別情報を保持しておくVPN認証情報データベースと、ＳＩＰリクエストの送受信による通話に用いていた上記ＶＰＮ接続の切断後に、同一の又は異なる無線通信網への上記無線通信機能を用いて、当該ＶＰＮ接続で用いた上記識別情報を送信して上記中継装置との間で新たなＶＰＮ接続を構築するＶＰＮ再接続機能とを有することが必要となる。
【００１４】
その上で中継装置は、無線通信網を介してＶＰＮ接続された携帯端末からの発呼要求に応じて、ＩＰ電話を繋ぐためのＳＩＰサーバへの通信を中継し、ＳＩＰセッションを構築する。また、ＳＩＰサーバからの携帯端末を呼び出す着呼要求に応じても、ＩＰ電話を繋ぐための携帯端末への通信を中継して、ＳＩＰセッションを構築する。ここで、発呼と着呼のいずれの場合でも、直接ＳＩＰセッションを構築する役目は携帯端末ではなく中継装置が担う。中継装置は携帯端末との通信が悪化した場合や強制切断された場合などに、携帯端末とのＶＰＮ接続を一旦切断するものの、ＳＩＰサーバとの間のＳＩＰセッションを切断せずに保留する。その後、中継装置がＶＰＮ接続の要求を受けた際に、先に切断したＶＰＮの構築の際に送信されてきた上記の識別情報がその要求とともに送られてきたら、ＶＰＮ接続を再構築した上で、保留していたＳＩＰセッションをその携帯端末に繋げる。このとき、要求が送られてくるネットワークのルートは中継装置にとって特に判断材料とする必要はない。同一の識別情報を送信してきたということで、ＶＰＮの切断前後で同一の携帯端末であることが確認できるからである。これにより、携帯端末側としては直接接続する携帯電話網や公衆無線ＬＡＮの業者を特に気にすることなく、ＳＩＰセッションすなわちＩＰ電話による通話を一旦切断することなく、通信品質が悪化した無線メディアから別の無線メディアに切り替えることができるようになる。
【００１５】
ただし、ＳＩＰセッションの保留時間が長くなりすぎた場合は、携帯端末からの再接続が失敗したか、或いは最初から再接続する意図が無い可能性が高くなる。この場合にＳＩＰセッションを接続できるように、中継装置は上記ＳＩＰセッションの保留時間を監視する切替時間監視機能と、その保留時間が所定の時間を超えた場合、そのＳＩＰセッションを切断する途絶時解除機能とを有することが望ましい。
【００１６】
一方、携帯端末としては、複数種類の無線通信網に接続可能であると、ＶＰＮ接続の通信品質低下や切断に対して柔軟な再接続が可能となる。その場合には、経由する無線通信網の優先度を設定可能とし、当該優先度の高い無線通信網から順番に接続して上記ＶＰＮイニシエータ機能によるＶＰＮ接続の構築を試みることで、無線通信網ごとの課金などに応じた適切な接続ルートの選択ができるようになる。なお、接続可能な無線通信網が一種類でも本発明は実施可能である。その場合、電波が不安定で一旦切断した後、電波のよいところへ移動してから再接続するという利用になる。
【００１７】
また、通信が強制切断される前に、VPN接続の通信品質の低下を検出する通話品質モニタ機能を、携帯端末と中継装置のいずれか、又は両方が有していることが望ましい。完全に通信が断絶される前にスムーズに切り替えられるように、上記携帯端末は、上記通信品質の低下が検出された時点で接続している無線通信網以外の別の無線通信網の電波を検知する電波モニタ機能と、上記別の無線通信網の電波を検知した際に、上記中継装置に対して、ＳＩＰセッションの保留を要求する切替通知機能と、ＶＰＮ接続の切断を指示するＶＰＮ切断指示機能とを有するようにしておく。またこれに対する上記中継装置は、上記切替通知機能からの要求を受けたら上記切替時保留機能を実行するものとすればよい。
【発明の効果】
【００１８】
この発明により、無線通信網の通信品質が安定しない場合に、ＩＰ電話を途切れさせることなく別の無線通信網での通信に切り替えたり、完全切断前に一旦保留して電波状況のよいところへ移動したりするといったことができ、ＩＰ電話の掛け直しを行わずに済むようになる。また、どの無線通信網で発呼してかけ始めたとしても、あるいは、どの無線通信網でアクセスしているときに着呼して話し始めたとしても、状況の変化に応じてそのときに最適な無線通信網へ乗り換えて通話を続けることができる。
【図面の簡単な説明】
【００１９】
【図１】この発明の実施形態の一例である概念図
【図２】この発明の一の実施形態における中継装置及び携帯端末の機能ブロック図
【図３】（ａ）この発明で利用する端末払出情報データベースの例図、（ｂ）この発明で利用するＳＩＰ情報データベースの例図、（ｃ）この発明で利用する無線通信網優先度データベースの例図
【図４】この発明の一の実施形態における第一シーケンス図
【図５】この発明の一の実施形態における第二シーケンス図
【図６】この発明の一の実施形態における切替時の携帯端末のフローチャート
【図７】この発明の一の実施形態における切替時の中継装置のフローチャート
【図８】この発明の一の実施形態における第三シーケンス図
【図９】この発明の一の実施形態における第四シーケンス図
【発明を実施するための形態】
【００２０】
以下、この発明の実施形態について詳細に説明する。この発明は、閉域網に存在するＳＩＰサーバとの間でＳＩＰセッションを構築することができる中継装置、その中継装置に外部のネットワークから接続してＩＰ電話などの利用を行うことができる携帯端末、及びこれらからなるＩＰ電話システムである。具体的には、中継装置へのＶＰＮ接続を通してＩＰ電話などを利用している携帯端末が経由している無線通信網の接続が悪化又は断絶した場合でも、ＳＩＰセッションを途切れさせることなく、無線通信網への新たな接続によるＶＰＮ接続に切り替えることができるようにする発明である。
【００２１】
この発明にかかる中継装置１１は、ＶＰＮ（Ｖｉｒｔｕａｌ  Ｐｒｉｖａｔｅ  Ｎｅｔｗｏｒｋ）とＳＩＰ（Ｓｅｓｓｉｏｎ  Ｉｎｉｔｉａｔｉｏｎ  Ｐｒｏｔｏｃｏｌ）を利用可能である。また、ＮＧＮ（Next Generation Network）などの閉域網１０に接続可能であるとともに、インターネット１２やＩＳＰ網１３、モバイルキャリア網１４（携帯電話網）などの外部ネットワークを通じて、外部から接続可能でもある。一般的にはホームゲートウェイとして用いられるルータなどの宅内中継装置をこの発明に用いることができるが、この発明の実施のために後述する機能を有する必要がある。この発明を利用する携帯端末２１の利用者は、少なくともこの中継装置１１へのアクセス権を持っている。例えば中継装置１１を設置している家庭の家族であるケースなどが考えられる。
【００２２】
この発明で必要となる携帯端末２１は、少なくとも一つの無線通信網に接続することができる無線通信機能３１を有している。また、中継装置１１に対してＶＰＮを構築することができる機能を有し、ＳＩＰクライアントとして中継装置１１を介してＳＩＰサーバ１に接続し、又は接続され、ＩＰ電話などのＳＩＰクライアント機能３３を利用できる。この無線通信機能３１としては、ＩＥＥＥ８０２．１１ａ，ｂ，ｇ，ｎ及びその互換規格への無線ＬＡＮ機能と、公衆電話網への移動体通信機能との少なくとも一方を有することが必要であり、両方を備えているとより好ましい。このような機能を有する携帯端末２１としては、例えば現在一般的に用いられているスマートフォンに、所定の後述する機能を有するアプリケーションをインストールすることで実現させることができる。
【００２３】
この発明の概念的な構成図の例を図１に示す。携帯端末２１から中継装置１１への接続ルートは特に限定されず、様々なルートが考えられるが、ここでは一例として、公衆無線ＬＡＮ網の通信品質が低下して、携帯端末２１の利用者が携帯電話網への接続へ切り替える際に通話を継続するケースを例示する。
【００２４】
まず、ＩＳＰ網１３に繋がる無線アクセスポイント２３が提供している無線ＬＡＮエリア２４内で、携帯端末２１の利用者は、携帯端末２１と中継装置１１との間にＶＰＮ接続を構築する（Ｓ０１）。なお、ＩＳＰ網１３から中継装置１１までは閉域網１０を経由したとしても、ＰＰＰｏＥなどのトンネルを通っているものとする。このＶＰＮ接続を通じて携帯端末２１は中継装置１１を介して閉域網１０内に設けられたＳＩＰサーバ１との間でＳＩＰセッションを構築する（Ｓ０２）。具体的にはＳＩＰサーバとはＩＰ電話の通話相手先又はそこへの中継装置である。図では携帯端末２１からＳＩＰサーバ１に対して発呼する例を記載しているが、中継装置１１との間でＳ０１のＶＰＮ接続を構築した状態であれば、ＳＩＰサーバ１からの着呼によりＳＩＰセッションを構築する場合も当然に含む。その後、通話継続中に、無線ＬＡＮエリア２４の端近傍まで来てしまい、音声通信の品質が悪化又は断絶したとする（Ｓ０３）。断絶前であれば携帯端末２１は中継装置１１へ切替通知を発し、断絶した場合にはＶＰＮ接続が自動的に切断される（Ｓ０４）。上記切替通知を受けた中継装置１１は、ＳＩＰサーバに対して当該携帯端末２１とのＳＩＰセッションを一時保留する通知をする（Ｓ０５）。この段階でまだＶＰＮ接続が切れていなければここで断絶させる（Ｓ０６）。
【００２５】
その後、利用者が別の無線通信エリア、ここではモバイルキャリア網１４に属する３Ｇ基地局２６により展開される携帯電話通話エリア２７に入ったら（Ｓ０７）、携帯電話網を介してモバイルキャリア網１４からインターネット１２などを経由して中継装置１１との間に新たにＶＰＮ接続を構築する（Ｓ０８）。このＶＰＮ接続の通信品質が、ＳＩPセッション（ＩＰ電話通話）の継続に問題無い程度であるか否かを確認した上で（Ｓ０９）、携帯端末２１は無線通信の切替が完了して通信品質が安定したことを中継装置１１に通知する切替完了通知を送信する（Ｓ１０）。中継装置１１は、先に一時保留していたＳＩＰセッションをこのＶＰＮ接続に繋げて、保留を解除する（Ｓ１１）。以上で切替は完了し、携帯端末２１の利用者とその通話相手とは、電話の掛け直しや取り直しをすることなく、ＩＰ電話による通話を再開することができる（Ｓ１２）。
【００２６】
上記の例のような一連の切替手順を実現する中継装置１１及びそれと組み合わせる携帯端末２１からなるＩＰ電話システムの機能ブロック図を図２に示す。次の説明における括弧付きのＳ番号は、参考としてその機能が図１のどの段階に対応するかを大まかに示す。これらの機能は主にソフトウェアとして実現されるか、ソフトウェアによってハードウェアを制御することで実現されるものである。
【００２７】
中継装置１１は、ＶＰＮ接続要求（後述する携帯端末２１のＶＰＮイニシエータ機能３２による要求に相当する）に対してＶＰＮ接続を構築する一般的なＶＰＮレスポンダ機能５６を有する（Ｓ０１、Ｓ０８）。これにより構築されたＶＰＮ接続を用いて、通話中継機能５５がＳＩＰセッションを構築、保留、再開させる（Ｓ０２，Ｓ０５，Ｓ１１）。まず、通話中継機能５５としては、ＶＰＮ接続を通した携帯端末のＳＩＰクライアント機能３３からの要求に応じてＳＩＰサーバ１へのＳＩＰセッションを構築し、又は、ＳＩＰサーバ１からの要求に応じてＶＰＮ接続を通して携帯端末２１とＳＩＰサーバ１との間でＳＩＰセッションを構築し、かつ構築後はＳＩＰサーバ１と携帯端末２１のＳＩＰクライアント機能３３との間を中継するＳＩＰ中継機能５２を有する（Ｓ０２）。また、通話中継機能５５の一部として、ＶＰＮレスポンダ機能５６で構築されたＶＰＮ接続と、通話呼に相当するＳＩＰセッションとの対応付けを行う装置側ＶＰＮ連携機能５４を有する（Ｓ１１）。さらに、携帯端末２１から切替通知を受信した際に（Ｓ０４）、ＳＩＰセッションを保留するようにＳＩＰサーバ１へ通知するようＳＩＰ中継機能５２へ指示する（Ｓ０５）とともに、場合によっては切り替えられる古いＶＰＮ接続を切断する（Ｓ０６）ように指示する切替時保留機能５３を有する。なお、この切替時保留機能５３はそれらと併せて、切替完了通知を受け取ったら、保留していたＳＩＰセッションを、ＶＰＮレスポンダ機能５６が新たに構築したＶＰＮ接続と対応付けるように装置側ＶＰＮ連携機能５４へ指示する（Ｓ１１）。
【００２８】
また中継装置１１は、携帯端末２１との間のＶＰＮ接続の通信品質が、ＳＩＰセッションの継続的な維持に必要な程度を保っているか否かをチェックする通話品質モニタ機能６１を有する（Ｓ０３、Ｓ０９）。通信品質の低下が予め定めた閾値を超えた場合には、携帯端末に対して、無線通信機能３１が利用する無線通信網の切替を提案する旨の通知を送信する。また、切替後の通信品質が予め定めた閾値を超えて悪いときには、別の無線通信網での接続へ切り替え直すこととなる。
【００２９】
さらに中継装置１１は、通信品質の悪化に伴って通知とともに切り替えたり、通知の無い通信の断絶などがされて一時保留しているＳＩＰセッションの保留時間を監視する切替時間監視機能５８と、その保留時間が所定の時間を超えた場合、そのＳＩＰセッションを切断する途絶時解除機能５９とを有する。これらにより、必要以上にＳＩＰサーバ１での相手先を待たせることなく、回復の見込みの薄いＳＩＰセッションを無駄に抱えずにすむようになる。
【００３０】
さらにまた、中継装置１１は、携帯端末２１にＳＩＰセッションを構築する際（Ｓ０２）に、その携帯端末２１の番号として中継装置１１が払い出した発信元電話番号と、携帯端末２１が指定した発信先電話番号と、携帯端末２１に割り振られた端末ＩＤとを記録する切替呼情報データベース６３を有する（以下、「データベース」をＤＢと略記する場合がある。）。このデータベースのレコードの一つ一つがSIPセッションの一つ一つに対応し、中継装置１１が繋いでいる、又は保留しているSIPセッションの数だけレコードが存在する。ここで、発信元電話番号とは、具体的には所謂０５０番号のＩＰ電話の番号である。また、発信先電話番号は、０５０番号に限らず、所謂０ＡＢ〜Ｊ番号であってもよい。
【００３１】
また、中継装置１１は、ＶＰＮレスポンダ機能５６がＶＰＮ接続構築の際に受信した共通鍵などの識別情報を、携帯端末２１に割り振った端末ＩＤとともに保存するＶＰＮ認証情報一覧データベース６４を有する。そのうちの当該携帯端末２１についての内容を有するＶＰＮ認証情報データベース４１が携帯端末２１にもあり、その内容を照合することで、切替後もＳＩＰセッション（通話）を継続できる（Ｓ１１）。さらに、中継装置１１は、ＳＩＰセッションを構築する際に、ＳＩＰプロキシサーバとして携帯端末２１に払い出す内容をまとめた端末払出情報データベース６５と、ＳＩＰプロキシサーバとして携帯端末２１に通知する中継装置１１の固有の情報をまとめたＳＩＰ情報データベース６６とを有する。このうち、端末払出情報データベース６５は、携帯端末２１の端末ＩＤと、ＤＨＣＰ機能によって携帯端末に割り当てるＩＰアドレスと、ＩＰ電話の端末として発信元電話番号とするべき電話番号とを記録する。また、ＳＩＰ情報データベース６６は、接続先となるＳＩＰサーバ１のアドレスと、そのＳＩＰサーバ１のＳＩＰドメインとを基本的な情報として記録してある。端末払出情報データベース６５の例を図３（ａ）に、ＳＩＰ情報データベース６６の例を図３（ｂ）に示す。端末払出情報データベース６５の項目のうち、端末ＩＤは中継装置１１がＳＩＰセッションの中継を受け付けることを予め登録した携帯端末２１の固有のＩＤであり、例えば携帯端末２１のＭＡＣアドレスなどが使用可能である。電話番号とはそれぞれの携帯端末２１に払い出すべく中継装置１１が用意してある発信元電話番号である。ＩＰアドレスはＤＨＣＰにより携帯端末２１に割り当てたプライベートアドレスである。このうち、ＩＰアドレスのみは固定されておらず、ＤＨＣＰによって割り当てられた時点で確定し、携帯端末２１の接続が終わった段階でクリアされる。一方、ＳＩＰ情報データベース６６の項目は、ＳＩＰサーバアドレス及びＳＩＰドメインであり、いずれもＳＩＰサーバ１に接続するための必要な情報であるので、普段の利用時には書き換えられることはない。基本的には複数のＳＩＰサーバ１を使い分けるといった特殊な事情でない限り、ＳＩＰ情報データベース６６の項目は一対のみである。
【００３２】
次に、携帯端末２１が有する機能について説明する。
携帯端末２１は、少なくとも一種類の無線通信機能３１を有している。これらはソフトウェアだけでなく、それによって制御されるアンテナを含む通信用のハードウェアが存在することとなる。基本的には携帯電話網へ接続するためのハードウェアと、無線ＬＡＮに接続するためのハードウェアがあり、無線通信できる規格に従ったその他のハードウェアであってもよい。携帯電話網への無線通信機能であれば、通常は一つのモバイルキャリア網１４へのアクセス機能のみであるが、デュエルＳＩＭの搭載などにより、複数のモバイルキャリア網１４への接続能力を有していてもよく、その場合は接続可能な選択肢が増えることになる。また、上記したＩＥＥＥ８０２．１１ａ、ｂ、ｇ、ｎ及びその互換規格に代表される無線ＬＡＮ網への無線通信機能であれば、単純にその規格への通信装置を有するだけでなく、無線アクセスポイント２３の設置者や事業者ごとに設定された暗号化のキー情報も有している必要がある。従って、それらの無線ＬＡＮへの無線通信機能は、実質的には別個のＳＳＩＤを有するネットワークへのＳＳＩＤと暗号キーとをセットにした組み合わせごとに、異なる無線通信網への接続能力であると考えられる。このため、事業者Ａの公衆無線ＬＡＮが途絶しそうになったら、ＳＳＩＤを切り替えて、事業者Ｂの公衆無線ＬＡＮへの乗り換えといったこともありうる。このようなＳＳＩＤや暗号キーとともに、どのＳＳＩＤでの無線ＬＡＮ接続を優先するか、或いは携帯電話網との接続とも比較して、どの無線通信機能での接続をより優先して使用するかを定める無線通信網優先度データベース４２を有する。その例を図３（ｃ）に示す。３Ｇは携帯電話網、Ｗｉ−Ｆｉは無線ＬＡＮ網であることを意味する。３ＧにはＳＳＩＤや暗号関連情報が無いが、無線ＬＡＮの場合はＳＳＩＤによって、優先すべきネットワークを判別する。例えば、自宅の無線ＬＡＮを優先し、屋外の公衆無線ＬＡＮを後回しにするといった順番である。図３の例では、３Ｇ携帯電話網が最優先で使用され、ＳＳＩＤ：ｍｙｈｏｍｅが次に優先される。逆に、携帯電話網のパケット使用量を抑制したい場合は、３Ｇの優先度を低下させるように設定する。
【００３３】
なお、携帯端末２１は上記の無線通信網に接続して、その無線通信網を介して中継装置１１にアクセスする。従って、実質的にはＩＰプロトコルでの送受信を行うＩＰ通信機能も有している必要があるが、図２では略記する。
【００３４】
また、携帯端末２１は、中継装置１１との間でＶＰＮ接続を構築するために、一般的なＶＰＮイニシエータ機能３２を有している（Ｓ０１，Ｓ０８）。さらに、ここで用いたＩＰｓｅｃの共有鍵のような識別情報を記録するＶＰＮ認証情報データベース４１を有する。この識別情報を送ってＶＰＮ接続し直すことで、中継装置１１は切替後の照合を行う（Ｓ１１）。この識別情報は、本発明を実施するにあたり、予め中継装置１１に登録されたものを割り当てられるものであればよい。なお、端末ＩＤは上記のＶＰＮ認証情報データベース４１に併せて記録される中継装置に固有のものでもよいし、無線ＬＡＮ機器として固有に割り振られるＭＡＣアドレスを端末ＩＤとして利用してもよい。
【００３５】
さらに携帯端末２１は、通話機能４０として、上記のＶＰＮイニシエータ機能３２をＳＩＰセッションのために実行させる端末側ＶＰＮ連携機能３５を有する。また、通話機能４０として、その構築したＶＰＮ接続を用いて、ＳＩＰサーバ１との間でＳＩＰセッションの構築を行い、ＳＩＰサーバ１との通話を行うＳＩＰクライアント機能３３を有する（Ｓ０２）。このＳＩＰセッションは通話機能４０が有する端末側ＶＰＮ連携機能３５によってＶＰＮ接続を通して行われる。またそれとは別に、携帯端末２１は中継装置１１との間のＶＰＮ接続の通信品質を監視する（Ｓ０３）通話品質モニタ機能３７を有しており、ＲＴＰパケットのロスや遅延の頻度が所定の閾値を超えた場合に、使用する無線通信網を切り替えるように通話機能４０へ提案指示する。また、通話品質モニタ機能３７は、中継装置１１の通話品質モニタ機能６１からの切替提案を中継することでも提案指示を行う。
【００３６】
ＩＰ電話などの通話において用いられるＲＴＰパケットは、一定時間間隔で、シーケンス番号を割り振られて送信されるものである。このため、本来設定された時間間隔で届くべきＲＴＰパケットの到着時間間隔が長くなって閾値を超えた場合、例えば通常２０ｍｓｅｃで到達するはずのパケットが１００ｍｓｅｃ間隔になったような場合には、そのＲＴＰパケットから復号される音声の品質は当然悪くなる。また、シーケンス番号が振られていることから、途中にパケットロスがあった場合には、シーケンス番号の欠落という形で察知することができ、そのような欠落の頻度が閾値を超えると、やはり復号される音声の品質は悪くなる。このため、通話品質モニタ機能３７、６１は予め間隔やパケットロスについての閾値を設定され、この閾値を越えたら通話品質劣化とみなして切替提案を送信すればよい。
【００３７】
またＶＰＮ接続とは別に、携帯端末２１は自身の持っている無線通信機能３１に併せて、無線ＬＡＮの電波強度を監視する無線ＬＡＮ電波モニタ機能３８や、携帯電話網の電波強度を監視する携帯電話電波モニタ機能３９などの電波モニタ機能を有し、これらを実行させることで、切替可能な無線通信網の電波がどの程度キャッチできるかを定期的に測定する。切替可能な無線通信網の電波がモニタできれば、上記の切替提案に応じて切替通知を送信（Ｓ０４）すべきであると判断できるためである。
【００３８】
上記の機能を前提として、携帯端末２１の通話機能４０は、通話品質モニタ機能３７からの切替提案と、無線ＬＡＮ電波モニタ機能３８や携帯電話電波モニタ機能３９での電波モニタの肯定的な結果とが揃った段階で、中継装置１１に対して、そのモニタされた別の無線通信網へ切り替える旨の通知である切替通知を中継装置１１へ送る切替通知機能４４を有する（Ｓ０４）。またVPN切断指示機能３６は、前記の切替通知と併せて、ＶＰＮ接続を切断する旨の指示をＶＰＮイニシエータ機能３２へ送る（Ｓ０６）。また、通信品質の悪化を察知して切り替えるまでもなく通信自体が断絶した場合は、強制的にＶＰＮ接続も切断される。この場合は通知がなくても、中継装置１１側で一時ＳＩＰセッションを保留する（Ｓ０５）ことになる。
【００３９】
ＶＰＮ接続の切断が自主的なものであるか否かに関わりなく、携帯端末２１と中継装置１１との間のＳＩＰセッションは途切れているが、ＳＩＰセッションで用いるアプリケーションなどである通話機能４０は立ち上げたままとなる。無線通信機能３１は、切り替えるべき無線通信網に、無線通信網優先度データベース４２に規定した順番にアクセスした上で、通話機能４０の端末側ＶＰＮ連携機能３５（ここでは「ＶＰＮ再接続機能３５ａ」として動作する）により、ＶＰＮ認証情報データベース４１に保存されていた共通鍵などの識別情報を再び用いた上でＶＰＮイニシエータ機能３２を実行させて、中継装置１１へのＶＰＮ接続を再構築する（Ｓ０８）。このとき用いた識別情報により、先にＶＰＮ接続を中断した携帯端末２１がその再接続を要求していることが、中継装置１１における装置側ＶＰＮ連携機能５４によって判別される。このとき、装置側ＶＰＮ連携機能５４は、中継装置１１側のＶＰＮ認証情報一覧データベース６４のレコードと照合することでその判別を行う。ＶＰＮ接続が完了したら、通話品質モニタ機能３７を通話品質モニタ機能６１と連動させて、通話を再開しても問題ない通信品質を確保できているか否かを確認する（Ｓ０９）。問題がなければ、携帯端末２１は切替完了通知機能４５を実行させて、中継装置１１へ切替通知を送信する（Ｓ１０）。これを受けた中継装置１１側で、新たなＶＰＮ接続に保留していたＳＩＰセッションが対応付けられることで、ＳＩＰクライアント機能３３による通話が再開される（Ｓ１２）。
【００４０】
これらの機能を用いた実施形態を、フローチャートとシーケンス図を用いて説明する。
図４及び図５は、携帯端末がVPN接続を構築し始めてから一時切断するまでのシーケンス図である。
【００４１】
携帯端末２１のＶＰＮイニシエータ機能３２と中継装置１１のＶＰＮレスポンダ機能５６は、SIPセッションの前提となるVPN接続を中継装置１１との間に構築する（図１のＳ０１に対応）。ここではＩＰｓｅｃによる暗号化を行った場合を示す。まず、携帯端末２１から中継装置１１に、ＩＰｓｅｃのＰｈａｓｅ１接続依頼が送信される（Ｓ１０１）。この時、最初に共通鍵として上記の識別情報を含む。この共通鍵は、ＶＰＮ構築のために予め中継装置１１に登録された上で携帯端末２１に割り振られたものである。その共通鍵と、端末ＩＤとについて、中継装置１１は端末認証を行う（Ｓ１０２）。認証が通れば、中継装置１１はＩＰｓｅｃ  Ｐｈａｓｅ１の接続通知を携帯端末２１に返す（Ｓ１０３）。これにより制御用トンネルができる。引き続いてＩＰｓｅｃのＰｈａｓｅ２の接続依頼（Ｓ１０４）とその接続通知（Ｓ１０５）がやりとりされて、データ交換用のトンネルができる。このトンネルを用いて、Ｌ２ＴＰ接続を行って（Ｓ１１１，Ｓ１１２）、Ｌａｙｅｒ２のＶＰＮ接続の準備が完了する。その上で、携帯端末２１からＤＨＣＰ情報取得依頼を送信する（Ｓ１１３）。中継装置１１は、端末払出情報データベース６５を更新して払い出すＩＰアドレスを払出先である携帯端末２１の端末ＩＤとともに登録するとともに（Ｓ１１４）、携帯端末２１に対して、ＳＩＰサーバのＩＰアドレス及びＳＩＰドメインとともに、ＩＰアドレスを含むＤＨＣＰ情報を通知する（Ｓ１１５）。以上で、ＩＰ通信が可能となる。発呼する場合も、着呼する場合も、ここまでの手順は同じである。着呼待ちの場合はここで待機となる。
【００４２】
発呼する場合は、携帯端末２１のＳＩＰクライアント機能３３から中継装置１１のＳＩＰ中継機能５２を介してＳＩＰサーバ１へのＳＩＰセッションの構築を行う（図１のＳ０２に対応）。まず、ＳＩＰクライアント機能３３は、ＳＩＰサーバ１に対して登録を行う（Ｓ１２１，Ｓ１２２）。その上で、相手先電話番号を指定して、ＳＩＰサーバ１（厳密にはＳＩＰサーバ１が中継して、さらに先の相手先ＳＩＰサーバに接続される通話相手）へ呼出を行う（Ｓ１３１）。呼び出すことができ（Ｓ１３２）、通話相手が通話を受ければ（Ｓ１３３、Ｓ１３４）、ＩＰ電話による通話が始まる。この間、ＶＰＮ接続は継続し続けている。着呼の場合は、ＳＩＰサーバ１が中継する、携帯端末２１に割り当てられた電話番号を指定した通話相手からの要求に応じてセッション構築が始まり、ＳＩＰ  ＩＮＶＩＴＥなどのパケットの授受が逆になるが、同様にＶＰＮ接続を通じたＩＰ電話による通話が始まる。
【００４３】
その通話中に、携帯端末２１の利用者の移動や周辺の電波状況の変化により、通信品質の劣化を通話品質モニタ機能３７，６１が検知したら（Ｓ１４１，図１のＳ０３）、可能であれば無線通信網の切り替えを行う。その場合の携帯端末２１のフロー図を図６に、中継装置側のフロー図を図７に示す。
【００４４】
上記の手順によりＳＩＰセッションが構築されている通話中に（Ｓ２１１，Ｓ３１１）、通信品質の劣化を検知したら（Ｓ１４１、Ｓ２１２）、携帯端末２１の無線ＬＡＮ電波モニタ機能３８、携帯電話電波モニタ機能３９は、それぞれの電波強度を測定して、切り替え可能な強度の電波を受信しているか否かを検知する（Ｓ１４２）。なお、これら電波モニタ機能（３８，３９）による検知は、通信品質の劣化の検知を待つことなく定期的に行われていてもよく、その場合は記録された直近の検知結果を使用すればよい。このとき、切り替え可能な強度の電波が検知できなければ（Ｓ２１３→Ｎｏ）、切り替えは不可能か困難であるので、そのまま通話を続ける（Ｓ２１４）。この後、強制的に通話が切断される可能性がある。
【００４５】
切り替え可能な強度の電波が検知できれば（Ｓ２１３→Ｙｅｓ）、携帯端末２１の通話機能４０は、切替通知機能４４を実行させて中継装置１１へ、切替通知を送信する（図１のＳ０４、Ｓ１５１、Ｓ２２１）。切替通知を受け取った中継装置では（Ｓ３１２）、切替時保留機能５３を実行して、ＳＩＰサーバ１へその携帯端末２１が接続しているＳＩＰセッションを保留するようにコマンドを送る（Ｓ３１３，Ｓ１５２）。ＳＩＰサーバ１から保留する旨の返信が返ってきたら（Ｓ１５３，Ｓ１５４）、切替時保留機能５３は切替準備完了の旨を携帯端末２１へ返答するとともに（Ｓ１５５）、保留するＳＩＰセッションの情報（発信者電話番号、発信先電話番号、端末ＩＤ等）を切替呼情報データベース６３に書き込む（図１のＳ０５、Ｓ１５６、Ｓ３１４）。
【００４６】
切替準備完了の旨を受け取った携帯端末２１の通話機能４０は、ＶＰＮ切断指示機能３６からＶＰＮイニシエータ機能３２により、ＶＰＮ接続を切断させる（Ｓ１５７，Ｓ２２２）。中継装置１１は通話中継機能５５からＶＰＮレスポンダ機能５６によりこれを切断する（図１のＳ０６、Ｓ１５８，Ｓ３１５）。携帯端末２１としては一旦ここでＳＩＰセッションが終了する。
【００４７】
なお、シーケンス図外となるが、通信品質の劣化を検知する前に通信が強制的に切断された場合、VPN接続は自動的に切断されるものの、中継装置１１は強制切断を検知した上で、Ｓ１５２〜Ｓ１５４，Ｓ１５６を行い、切替準備状態へ移行する。
【００４８】
また同じくシーケンス図外となるが、切替時保留機能５３は、ＳＩＰセッションの保留とともに、切替時間監視機能５８へ保留時間のカウント開始を指示する。保留時間が予め定めた閾値を超えた場合は、途絶時解除機能５９は、当該ＳＩＰセッションを再接続の見込み無しとして、切替呼情報データベース６３の当該レコードを削除する。閾値到達前に、検知していた別の無線通信網に接続できれば（図１のＳ０７）、以降の切替工程を行う。切替以降のシーケンス図を図８及び図９に示す。
【００４９】
まず携帯端末２１は、無線通信機能３１により、予め電波を検知していた、又は強制切断後に電波を検知した、切替先の３Ｇ基地局２６又は無線アクセスポイント２３に接続する（Ｓ１６０，Ｓ２２３）。この時、複数の無線通信網を検知している場合には、無線通信機能３１は、無線通信網優先度データベース４２に登録された優先度の順位が高い無線通信網から接続を試行し始める。
【００５０】
携帯端末２１は、無線通信網へアクセスできたらＶＰＮ接続を開始する（図１のＳ０８，Ｓ２２４、Ｓ３２１）。ＩＰｓｅｃのＰｈａｓｅ１、２及びＬ２ＴＰ接続についての一連の送信処理（Ｓ１６１〜Ｓ１６７）は、図４におけるＳ１０１〜Ｓ１１２の処理と基本的には同じである。ただし、中継装置１１が行う端末認証（Ｓ１６２，Ｓ３２２）では、保留している切替呼情報データベース６３に登録されているレコードの識別情報及び端末ＩＤと一致する携帯端末からのアクセスであるか否かをチェックする。ＶＰＮ接続を再構築した上で、携帯端末２１はＤＨＣＰの情報を取得する（Ｓ１７１〜Ｓ１７３）。この工程は前述のＳ１１３〜Ｓ１１５と同じであり、中継装置１１は携帯端末２１にＩＰアドレス等の端末情報を払い出す（Ｓ３２３、Ｓ２２５）。ただし、この払い出す端末情報は先に携帯端末２１に払い出したものと同一で特に問題がないため、ここで再び払い出さなくても、携帯端末２１が切断の前後を通じて端末情報を保持し続けていて、それを利用するようにしてもよい。このため、Ｓ３２３は省いてもよい。
【００５１】
その上で、中継装置１１の装置側ＶＰＮ連携機能５４は、携帯端末２１の端末ＩＤや送信されてきた識別情報を確認して、それが現在保留中のＳＩＰセッションを担っていた携帯端末２１と同一であるか否かをチェックする（Ｓ３２４）。同一でなければ（Ｓ３２４→Ｎｏ）、保留中のＳＩＰセッションとは関係ない別端末によるＶＰＮ接続として、以降の処理は行わない（Ｓ３２５）。一方、受信した情報の端末ＩＤと識別情報とが、現在保留中のＳＩＰセッションを担っていた携帯端末２１と同一であれば（Ｓ３２４→Ｙｅｓ）、次の工程に移る（Ｓ３３１）。
【００５２】
一方、ＶＰＮ接続がされた（Ｓ２２４）携帯端末２１は、ＶＰＮイニシエータ機能３２が中継装置１１から払い出された端末情報を受け取った上で（Ｓ２２５）、次の工程に移る。携帯端末２１の通話品質モニタ機能３７は、中継装置１１の通話品質モニタ機能６１と連携して、ＶＰＮ接続での通信をやりとりして、新たなＶＰＮ接続での通信品質を確認する（図１のＳ０９、Ｓ２２６、Ｓ３３１）。具体的にはＩＣＭＰのリクエストに対するリプレイパケットを計測する（Ｓ１８１，Ｓ１８２）。このとき、ＲＴＰパケットの遅延やロスが切替後も無視できないレベルであれば（Ｓ２２６→問題あり）、無線通信網優先度データベース４２にさらに他の接続先があるか否かを判断する（Ｓ２３１）。存在するようであれば（Ｓ２３１→存在する）、再構築したばかりのＶＰＮ接続を切断し（Ｓ２２２），次の優先度の順位を有する無線通信網に接続する（Ｓ２２３）。以下の手順は上記と同じである。もし、通信品質が無視出来ないレベルであるにもかかわらず、他の接続先がなければ（Ｓ２３１→存在しない）、そこで通話を切断する（Ｓ２３２）。保留されたままのＳＩＰセッションは、中継装置１１の切替時間監視機能５８で保留時間が閾値を超えたところで途絶時解除機能５９により廃棄される。通信品質が確保されていたら、次の工程へ移る。
【００５３】
なお、図６のようなフローとはまた別の実施形態として、ＶＰＮ接続を構築する前に通信品質を確認する、すなわちＳ２２４とＳ２２５の順序を逆にした実施形態も考えられる。そのような実施形態では、通信品質が悪い環境でＶＰＮ接続を行った後にそれを切断するという無駄を省くことができる。ただし、本発明における切替で必要とされるのは、切替後の通話品質である。単純に無線出力が強く単純なパケットをやりとりできるだけで、実際のＶＰＮ接続では品質が確保できないという場合があり、その場合にはＳ２２４の後にＳ２２５を行うことが好ましい。
【００５４】
ＶＰＮ接続の通信品質が確保できていることが確認できれば（Ｓ２２６→問題なし）、携帯端末２１の切替完了通知機能４５が切替完了通知を送信する（図１のＳ１０、Ｓ１９１、Ｓ２４２）。この通知は、「ＳＩＰ  ＩＮＶＩＴＥ」に相当するメッセージであり、端末としては新たなＳＩＰセッションの構築を開始することになる。この切替完了通知はＳＩＰ  ＩＮＶＩＴＥとして、宛先電話番号が含まれる。通知を受け取った中継装置１１は（Ｓ３３２）、その通知に含まれる番号が、保留中の宛先電話番号か否かを判断する（Ｓ３３３）。保留中の宛先電話番号とは異なる番号である場合には（Ｓ３３３→Ｎｏ）、新たな接続先への発呼であるので、当該番号へのSIPセッションを新たに構築する（Ｓ３３４）。保留中の宛先電話番号であったら（Ｓ３３３→Ｙｅｓ）、その通知は保留中のセッションへの再接続を求める切替完了通知であるので、ＳＩＰサーバ１（ひいては保留中の通話相手の端末）に、保留の解除を通知する（Ｓ１９２）。通話相手がまだ途切れずにＳＩＰセッションを維持しており、保留の解除を承諾する返答を送ってきたら（Ｓ１９３，Ｓ１９４）、通話中継機能５５は装置側ＶＰＮ連携機能５４により、保留していたＳＩＰセッションをＶＰＮ接続に対応づけて保留を解除し（図１のＳ１１、Ｓ３３５）、切替時保留機能５３が通話再開準備完了を携帯端末２１へ通知する（Ｓ１９５）。この通知は、先の「ＳＩＰ  ＩＮＶＩＴＥ」に対する「２００  ＯＫ」に相当するメッセージであり、これにより携帯端末２１は新たなＳＩＰセッションを開始するが、そのＳＩＰセッションの中継装置１１より先は、先に構築していたＳＩＰセッションが再開したものとなる。これにより、新たなＶＰＮ接続に保留していたＳＩＰセッションが対応づけられて、通話が再開される（図１のＳ１２、Ｓ２４３，Ｓ３３６）。
【符号の説明】
【００５５】
１  ＳＩＰサーバ
１０  閉域網
１１  中継装置
１２  インターネット
１３  ＩＳＰ網
１４  モバイルキャリア網
２１  携帯端末
２３  無線アクセスポイント
２４  無線ＬＡＮエリア
２６  ３Ｇ基地局
２７  携帯電話通話エリア
＜携帯端末の機能＞
３１  無線通信機能
３２  ＶＰＮイニシエータ機能
３３  ＳＩＰクライアント機能
３５  端末側ＶＰＮ連携機能
３５ａ  ＶＰＮ再接続機能
３６  ＶＰＮ切断指示機能
３７  通話品質モニタ機能
３８  無線ＬＡＮ電波モニタ機能
３９  携帯電話電波モニタ機能
４０  通話機能（まとめ）
４１  ＶＰＮ認証情報データベース
４２  無線通信網優先度データベース
４４  切替通知機能
４５  切替完了通知機能
＜中継装置の機能＞
５２  ＳＩＰ中継機能（Ｂ２ＢＵＡ）
５３  切替時保留機能
５４  装置側ＶＰＮ連携機能
５５  通話中継機能（まとめ）
５６  ＶＰＮレスポンダ機能
５８  切替時間監視機能
５９  途絶時解除機能
６１  通話品質モニタ機能
６３  切替呼情報データベース
６４  ＶＰＮ認証情報一覧データベース
６５  端末払出情報データベース
６６  ＳＩＰ情報データベース
【図１】
2014049783.tif 000003
【図２】
2014049783.tif 000004
【図３】
2014049783.tif 000005
【図４】
2014049783.tif 000006
【図５】
2014049783.tif 000007
【図６】
2014049783.tif 000008
【図７】
2014049783.tif 000009
【図８】
2014049783.tif 000010
【図９】
2014049783.tif 000011